(57)【要約】【課題】１台の暖房機で浴室と脱衣室の２室を暖房することのできる２室暖房システムを提供する。【解決手段】浴室１に設けられた暖房機５と、脱衣室４に設けられた吸気口６を、吸気ダクト７で接続するとともに、暖房機５内に設けられたダンパー１２，１３などで流路を切り替えて、浴室１のみを暖房することも、また、浴室１と脱衣室４の２室を暖房することもできるように構成する。【選択図】                図２
2004333071.tif 000002
【特許請求の範囲】
【請求項１】
浴室に設けられた暖房機と、脱衣室に設けられた吸気口をダクトで接続するとともに、前記暖房機内に設けられたダンパーなどで流路を切り替えできるように構成したことを特徴とする２室暖房システム。
【請求項２】
前記暖房機が、浴室と脱衣室の２室を換気できる浴室換気乾燥暖房機であることを特徴とする請求項１に記載の２室暖房システム。
【請求項３】
浴室と脱衣室を仕切る浴室ドアに設けられたガラリが、前記暖房機の運転に連動して開閉されるように構成したことを特徴とする請求項１または請求項２に記載の２室暖房システム。
【請求項４】
浴室と脱衣室を連通させる専用穴を設け、該専用穴が、前記暖房機の運転に連動して開閉されるように構成したことを特徴とする請求項１または請求項２に記載の２室暖房システム。
【請求項５】
浴室に設けられた暖房機の吸気側と、脱衣室に設けられた吸気口を吸気ダクトで接続するとともに、前記暖房機の噴気側と脱衣室に設けられた噴気口を噴気ダクトで接続し、前記暖房機内に設けられたダンパーなどで流路を切り替えできるように構成したことを特徴とする２室暖房システム。
【請求項６】
脱衣室より浴室の湿度が高い場合、または設定湿度より浴室湿度が高い場合には、前記浴室と脱衣室の２室暖房を実施しないように構成したことを特徴とする請求項１または請求項２または請求項３または請求項４または請求項５に記載の２室暖房システム。
【発明の詳細な説明】
【０００１】
【発明の属する技術分野】
この発明は、浴室と脱衣室の２室を１台の暖房機で暖房できる２室暖房システムに関するものである。
【０００２】
【従来の技術及び発明が解決しようとする課題】
従来、浴室と脱衣室の２室を共に暖房しようとする際には、それぞれの部屋に暖房機を設置する必要があり、２台の暖房機が必要となって、設備費が高くなってしまうという問題点があった。
【０００３】
【特許文献１】
特開２０００−３１４５３４号公報
【０００４】
【課題を解決するための手段】
本発明は上記従来の問題点に鑑み案出したものであって、１台の暖房機で浴室と脱衣室の２室を暖房することのできる２室暖房システムを提供せんことを目的とし、その第１の要旨は、浴室に設けられた暖房機と、脱衣室に設けられた吸気口をダクトで接続するとともに、前記暖房機内に設けられたダンパーなどで流路を切り替えできるように構成したことである。
また、第２の要旨は、前記暖房機が、浴室と脱衣室の２室を換気できる浴室換気乾燥暖房機であることである。
また、第３の要旨は、浴室と脱衣室を仕切る浴室ドアに設けられたガラリが、前記暖房機の運転に連動して開閉されるように構成したことである。
また、第４の要旨は、浴室と脱衣室を連通させる専用穴を設け、該専用穴が、前記暖房機の運転に連動して開閉されるように構成したことである。
また、第５の要旨は、浴室に設けられた暖房機の吸気側と、脱衣室に設けられた吸気口を吸気ダクトで接続するとともに、前記暖房機の噴気側と脱衣室に設けられた噴気口を噴気ダクトで接続し、前記暖房機内に設けられたダンパーなどで流路を切り替えできるように構成したことである。
また、第６の要旨は、脱衣室より浴室の湿度が高い場合、または設定湿度より浴室湿度が高い場合には、前記浴室と脱衣室の２室暖房を実施しないように構成したことである。
【０００５】
【発明の実施の形態】
以下、本発明の実施例を図面に基づいて説明する。
図１は、浴室と脱衣室の概略構成図であり、浴室１内には浴槽２が設置されており、また、浴室１と脱衣室４を仕切る浴室ドア３の下部には、浴室１と脱衣室４を連通させるガラリ３ａが形成されている。
浴室１の天井には暖房機５が設けられており、また、脱衣室４の天井には吸気口６が設けられており、この吸気口６と前記浴室１の暖房機５間は吸気ダクト７で接続されている。
【０００６】
暖房機５には、吸込口５ａと吹出口５ｂが形成されており、暖房機５の内部にはファン１０とヒーター１１が設けられ、さらに、Ｌ型のＬダンパー１２と板状の板状ダンパー１３が設けられている。
このＬダンパー１２は、吸気ダクト７の出口７ａ側に設けられて、この出口７ａを開閉できるものである。また、板状ダンパー１３は、排気ダクト８の入口８ａ側に設けられて、入口８ａを開閉できるように構成されている。また、暖房機５内には湿度センサー１４が設けられている。
【０００７】
なお、暖房機能だけの暖房機５の場合には、前記排気ダクト８は無くても良く、従って、板状ダンパー１３も省略することができるものである。
図１の状態は、ヒーター１１がＯＮされてファン１０が回転され、浴室１内の空気が吸込口５ａから暖房機５内に吸い込まれ、温風が吹出口５ｂから浴室１内に噴き出されて、浴室１のみが暖房されている浴室の暖房運転状態である。
【０００８】
次に、図２は、浴室１と脱衣室４の２室を暖房する２室暖房運転状態の図であり、この図２では、Ｌダンパー１２は下方側へ回動されて、吸込口５ａがこのＬダンパー１２で閉じられ、吸気ダクトの出口７ａが開放された状態となっている。
この状態では、ヒーター１１がＯＮされ、ファン１０が回転されることにより、吹出口５ｂから浴室１内に温風が噴き出され、この温風は、浴室ドアのガラリ３ａを通って脱衣室４内に流入されて、脱衣室４も暖房されるものであり、温風は吸気口６から吸気ダクト７内に吸い込まれて、再び暖房機５のファン１０により吹出口５ｂから送り出されて、温風が浴室１と脱衣室４に循環され、良好に２室が暖房されるものである。
なお、この場合に、排気ダクト８が設けられている場合には、板状ダンパー１３を僅かに開けた状態で運転することにより、２室を暖房しながら、一部の温風を板状ダンパー１３から、即ち入口８ａから排気ダクト８内に導いて外部に排出することができ、換気も同時に行うことができるものとなる。
【０００９】
次に、図３では、浴室の換気を行っている状態を示すものであり、この場合は、暖房機５は換気機能を備えた換気乾燥暖房機として機能するものであり、板状ダンパー１３により、吹出口５ｂ側は閉ざされ、排気ダクト８の入口８ａが開かれ、吸気ダクトの出口７ａはＬダンパー１２で閉じられており、吸込口５ａから浴室内の空気を吸い込んで、排気ダクト８内に空気を連続的に排気して、良好に浴室のみを換気することができるものである。
【００１０】
なお、図４は、浴室１と共に脱衣室４も換気している、２室換気運転状態を示すものであり、板状ダンパー１３により、吹出口５ｂ側は閉ざされ、排気ダクト８の入口８ａが開かれ、Ｌダンパー１２が開かれて、吸気ダクトの出口７ａおよび吸込口５ａは開かれており、ファン１０が回転することにより、吸込口５ａから浴室１内の空気を吸い込んで排気ダクト８から排出するとともに、脱衣室４の吸気口６からも脱衣室４内の空気を吸気ダクト７内に吸い込んで、排気ダクト８から排出するものである。なお、この場合は、ヒーター１１はＯＦＦされた状態となる。
このように、浴室１の天井に設けられた１台の暖房機５により、浴室１のみの暖房及び換気を行うこともでき、浴室１と脱衣室４の２室の暖房及び換気も行うことができるものとなる。
【００１１】
なお、前記ガラリ３ａに代えて、浴室ドア３の上部等に専用穴３ｂを設けておき、この専用穴３ｂを介して浴室１と脱衣室４が連通するように構成しておくこともできる。
なお、ガラリ３ａの代わりに専用穴３ｂが設けられている場合には、２室暖房の運転時には、吹出口５ｂから噴き出された温風は、専用穴３ｂを通り脱衣室４内に流れて脱衣室を暖房し、吸気口６から吸気ダクト７を通して暖房機５に循環されるものである。
なお、ガラリ３ａ及び専用穴３ｂは、モーター駆動で開閉できるような構造としておけば、ガラリ３ａまたは専用穴３ｂを暖房機５の運転に連動して開閉制御することができるものとなる。
【００１２】
即ち、図２のような２室暖房運転時以外には、ガラリ３ａまたは専用穴３ｂを閉じておくことができ、２室暖房運転時のみに開くような構成としても良く、また、湿度センサー１４の検知信号に連動してガラリ３ａまたは専用穴３ｂが開閉されるように構成しても良い。
即ち、暖房機５を停止させて入浴中であるとか、入浴後などにおいて浴室１内の湿度が高い状態で、図２のような２室暖房運転を行うと、浴室１内の湿気が脱衣室４内に流入してしまうため、このような場合には、湿度センサー１４の検知信号に基づいてガラリ３ａまたは専用穴３ｂを閉じて、２室暖房を行わないようにすることができるものである。
【００１３】
次に、図５は、脱衣室４の天井に、吸気口６と共に噴気口１５を設けて、この噴気口１５に噴気ダクト１６を接続し、噴気ダクト１６の入口１６ａの部分にＬ型のＬダンパー１７を設けて構成したものであり、Ｌダンパー１７は、噴気ダクト１６の入口１６ａと排気ダクト８の入口８ａを仕切るように配置されており、このＬダンパー１７の下部に、板状ダンパー１３が開閉可能に設けられた構成となっている。その他の構成は図１のものと同様である。
このような構成では、浴室ドア３のガラリ３ａを使わなくても２室暖房が行えるものである。
【００１４】
図５では、浴室１のみを暖房している運転状態を示しており、浴室１内の空気は吸込口５ａから吸い込まれて、吹出口５ｂから温風として噴き出されるものであり、この運転時には、Ｌダンパー１２により吸気ダクト７の出口７ａは閉ざされており、また、噴気ダクト１６の入口１６ａもＬダンパー１７で閉ざされており、排気ダクト８の入口８ａも板状ダンパー１３で閉ざされている。
【００１５】
次に、図６のように、Ｌダンパー１２及びＬダンパー１７を回動させて、吸気ダクト７の出口７ａを開け、噴気ダクト１６の入口１６ａを開けて、ヒーター１１をＯＮしてファン１０を回転させ、２室暖房を行うことができるものである。図６では、浴室１内の空気は吸込口５ａから吸い込まれてヒーター１１で温風となり、吹出口５ｂから浴室１内に噴き出されるとともに、噴気ダクト１６内に温風が流されて、噴気口１５から温風が脱衣室４内に噴出されるものであり、浴室１と共に脱衣室４も暖房されるものである。
【００１６】
なお、この場合、排気ダクト８が設けられている場合において、板状ダンパー１３を少し開け、Ｌダンパー１７を少し傾けて運転すれば、２室を暖房しながら同時に排気ダクト８内へ温風の一部を排出して、換気しながら暖房することができるものとなる。即ち、乾燥運転を行うことができ、浴室１及び脱衣室４を良好に乾燥させることができるものとなる。
【００１７】
次に、図７では、Ｌダンパー１２で吸込口５ａを閉ざし、Ｌダンパー１７で排気ダクト８の入口８ａを閉ざし、また、板状ダンパー１３で吹出口５ｂ側への流路を閉ざして、温風を、噴気ダクト１６を通し、噴気口１５から脱衣室４内に噴出させて、脱衣室４のみを暖房する運転状態を示すものである。
このように脱衣室４のみを暖房することもでき、この場合に、Ｌダンパー１７を少し傾けて、一部の温風を排気ダクト８から排出するようにすれば、脱衣室４を暖房しながら脱衣室４を換気して、脱衣室４内を良好に乾燥させることができるものとなる。
【００１８】
次に、図８では、Ｌダンパー１２で吸気ダクトの出口７ａを閉ざし、Ｌダンパー１７で噴気ダクト１６の入口１６ａを閉ざして、板状ダンパー１３を開放させて、吹出口５ｂ側への流路を閉ざして排気ダクト８の入口８ａを開けたものであり、この状態でヒーター１１をＯＦＦして、ファン１０のみを回転させることで、浴室１のみの換気運転を行うことができるものとなる。
【００１９】
次に、図９のように、Ｌダンパー１２を開けて、吸気ダクト７の出口７ａと吸込口５ａを開けることにより、浴室１と脱衣室４の２室を換気することができるものとなる。この場合には、浴室１内の空気は、吸込口５ａから排気ダクト８へ排出され、また、脱衣室４内の空気は、吸気口６から吸気ダクト７を通り、さらに暖房機５内を通って、排気ダクト８から排出されるものである。
【００２０】
また、図１０のように、Ｌダンパー１２で吸込口５ａのみを閉ざせば、脱衣室４のみの換気運転を行うことができるものとなる。この場合は、脱衣室４内の空気が、吸気口６から吸気ダクト７を通り、排気ダクト８へ排出されるものとなる。
【００２１】
【発明の効果】
本発明の２室暖房システムは、浴室に設けられた暖房機と、脱衣室に設けられた吸気口をダクトで接続するとともに、暖房機内に設けられたダンパーなどで流路を切り替えできるように構成したことにより、浴室と脱衣室を暖房する際に、暖房機からの温風を、浴室内から浴室ドアのガラリ等を通して脱衣室内に導き、脱衣室内も暖房することができ、温風を脱衣室の吸気口よりダクトを介して暖房機に戻して循環させ、良好に２室を暖房することができ、１台の暖房機で浴室と脱衣室を良好に暖房することができるものとなる。
【００２２】
また、暖房機が、浴室と脱衣室の２室を換気できる浴室換気乾燥暖房機であることにより、浴室と脱衣室の２室を暖房することができ、また、浴室と脱衣室の２室を良好に換気することができ、換気と暖房を同時に行うことにより、２室の乾燥も行うことができるものとなる。
【００２３】
また、浴室と脱衣室を仕切る浴室ドアに設けられたガラリが、暖房機の運転に連動して開閉されるように構成したことにより、浴室内の湿度が高い状態で、誤って浴室と脱衣室の２室を暖房する運転をしている場合に、ガラリを閉じて、脱衣室への湿気の流入を良好に防ぐことができるものとなる。
【００２４】
また、浴室と脱衣室を連通させる専用穴を設け、専用穴が、暖房機の運転に連動して開閉されるように構成したことにより、入浴後などで浴室湿度が高い状態で誤って２室暖房運転をした場合に、専用穴を閉じて、脱衣室への湿気の流入を良好に防ぐことができるものとなる。
【００２５】
また、浴室に設けられた暖房機の吸気側と、脱衣室に設けられた吸気口を吸気ダクトで接続するとともに、暖房機の噴気側と脱衣室に設けられた噴気口を噴気ダクトで接続し、暖房機内に設けられたダンパーなどで流路を切り替えできるように構成したことにより、浴室ドアのガラリ等を用いることなく、浴室の暖房機から温風を噴出させて、浴室内を暖房することができるとともに、暖房機からの温風を噴気ダクトを通し噴気口から脱衣室内に噴出させて、同時に脱衣室も暖房することができ、１台の暖房機で２室を良好に暖房することが可能となり、また、脱衣室の換気のみの運転も行うことができるものとなる。
【００２６】
また、脱衣室より浴室の湿度が高い場合、または設定湿度より浴室湿度が高い場合には、浴室と脱衣室の２室暖房を実施しないように構成したことにより、入浴後など浴室湿度が高い状態で誤って２室暖房運転をした場合に、脱衣室への湿気の流入を良好に防ぐことができるものとなる。
【図面の簡単な説明】
【図１】浴室のみを暖房する運転状態の概略構成図である。
【図２】浴室と脱衣室の２室を暖房している状態の概略構成図である。
【図３】浴室のみを換気している状態の概略構成図である。
【図４】浴室と脱衣室の２室を換気している状態の概略構成図である。
【図５】脱衣室に噴気口を設けた構成において、浴室のみを暖房している状態の概略構成図である。
【図６】浴室と脱衣室の２室を暖房している状態の概略構成図である。
【図７】脱衣室のみを暖房している状態の概略構成図である。
【図８】浴室のみを換気している状態の概略構成図である。
【図９】浴室と脱衣室の２室を換気している状態の概略構成図である。
【図１０】脱衣室のみを換気している状態の概略構成図である。
【符号の説明】
１  浴室
２  浴槽
３  浴室ドア
３ａ  ガラリ
３ｂ  専用穴
４  脱衣室
５  暖房機（換気乾燥暖房機）
５ａ  吸込口
５ｂ  吹出口
６  吸気口
７  吸気ダクト
７ａ  出口
８  排気ダクト
８ａ  入口
１０  ファン
１１  ヒーター
１２  Ｌダンパー
１３  板状ダンパー
１４  湿度センサー
１５  噴気口
１６  噴気ダクト
１６ａ  入口
１７  Ｌダンパー
【図１】
2004333071.tif 000003
【図２】
2004333071.tif 000004
【図３】
2004333071.tif 000005
【図４】
2004333071.tif 000006
【図５】
2004333071.tif 000007
【図６】
2004333071.tif 000008
【図７】
2004333071.tif 000009
【図８】
2004333071.tif 000010
【図９】
2004333071.tif 000011
【図１０】
2004333071.tif 000012